(57)【要約】【課題】外観上の見栄えが良好で、簡単に取り付けができて、安価なシートベルト誘導装置の提供。【解決手段】シートバックフレーム１０にベルトガイド支持部７を固定し、鍔部１３下面に接着剤を塗布したベルトガイド８の中空部８Ａ内に脚部７Ｂ、７Ｂ、水平部７Ｃを挿入し、ベルトガイド８とベルトガイド支持部７とを嵌合する。このベルトガイド８の下降動作により、水平部７Ｃが係止体８Ｄの係止部１７の傾斜面１７Ａに当接して案内されながら上昇し、中空部８Ａ内に突出していた係止部１７の突出部分が中空部８Ａ外に移動するようにベルトガイド８の係止体８Ｄは前方へ揺動する。更なる下降動作によって、水平部７Ｃと傾斜面１７Ａとの当接が解除されると、係止体８Ｄは後方へ揺動して前記突出部分が中空部８Ａ内に移動して、鍔部１３の下面に水平部７Ｃが当接し抜け止め部１７Ｂによりベルトガイド支持部７にベルトガイド８が取付けられる。【選択図】図１
2012006479.tif 000002
【特許請求の範囲】
【請求項１】
シートバック上部の乗員の肩部の近傍位置に配置され、シート後方から導出されたシートベルトを案内するシートベルト誘導装置において、
前記シートバックの骨格を形成するシートバックフレームに固定される固定部とロック部とを備えるベルトガイド支持部と、
このベルトガイド支持部に取付けられて中空筒部と抜け止め部とシートベルトが挿入されるガイド部とを備えて前記シートベルトを案内するベルトガイドとを備え、
前記ベルトガイド支持部のロック部が前記ベルトガイドの前記中空筒部内に挿入されるようにこのベルトガイドをベルトガイド支持部に取付けると、前記ロック部が前記中空筒部内から抜けないように前記抜け止め部によりロックされることを特徴とするシートベルト誘導装置。
【請求項２】
シートバック上部の乗員の肩部の近傍位置に配置され、シート後方から導出されたシートベルトを案内するシートベルト誘導装置において、
前記シートバックの骨格を形成するシートバックフレームに固定される固定部とロック部とを備えるベルトガイド支持部と、
このベルトガイド支持部に取付けられて中空筒部と抜け止め部とシートベルトが挿入されるガイド部とを備えて前記シートベルトを案内するベルトガイドとを備え、
前記ベルトガイドに前記中空筒部を形成する側壁に揺動可能であって揺動していない状態では前記中空筒部内に係止部が入り込む係止体を形成し、
前記ベルトガイドをベルトガイド支持部に取付ける際に、前記ベルトガイド支持部のロック部が前記ベルトガイドの前記中空筒部内に挿入するように前記ベルトガイドを下降させると、前記ロック部が前記係止部に当接して前記係止体を外方へ揺動させ、更なる前記ベルトガイドを下降させると前記ロック部と前記係止部との当接が解除されて前記係止体が内方へ揺動して前記係止部が前記中空筒部内に入り込むことにより、前記ロック部が前記中空筒部内から抜けないように前記抜け止め部によりロックされることを特徴とするシートベルト誘導装置。
【請求項３】
前記ベルトガイドの中空筒部とガイド部との間に水平方向に延びる鍔部を形成し、前記ベルトガイド支持部に前記ベルトガイドに取付けた状態で、前記シートベルトとバックの表層に前記鍔部を固定することを特徴とする請求項１又は請求項２に記載のシートベルト誘導装置。
【発明の詳細な説明】
【技術分野】
【０００１】
本発明は、シートバック上部の乗員の肩部の近傍位置に配置され、シート後方から導出されたシートベルトを案内するシートベルト誘導装置に関するものである。
【背景技術】
【０００２】
この種のシートベルト誘導装置は、例えば特許文献１に開示されているように、シートバックの上端部（ヘッドレストを除く部分の上端部）の車幅方向における車両外方側の部位であって乗員の肩部の近傍の部位に設けられており、このシートベルト誘導装置を構成するベルトガイドの基部が後方に突出しており、ベルトガイドの基部の穴を介してベルトガイド支持部のボルト穴に螺合させた２本のボルトと座金により、ベルトガイド支持部に固定されている。
【先行技術文献】
【特許文献】
【０００３】
【特許文献１】特開２００６−２９８０９１号公報
【発明の概要】
【発明が解決しようとする課題】
【０００４】
しかしながら、ベルトガイド支持部にベルトガイドをボルトにより取付けるという作業が必要であり、ボルトの頭部が見えて外観の見栄えが悪く好ましくないので、キャップで外部から見えないようにするとコスト高ともなる。また、取付け穴を設ける必要があるため、ベルトガイド支持部が大きくなるという問題もある。
【０００５】
そこで本発明は、外観上の見栄えが良好で、簡単に取り付けができて、安価なシートベルト誘導装置を提供することを目的とする。
【課題を解決するための手段】
【０００６】
このため第１の発明は、シートバック上部の乗員の肩部の近傍位置に配置され、シート後方から導出されたシートベルトを案内するシートベルト誘導装置において、
前記シートバックの骨格を形成するシートバックフレームに固定される固定部とロック部とを備えるベルトガイド支持部と、
このベルトガイド支持部に取付けられて中空筒部と抜け止め部とシートベルトが挿入されるガイド部とを備えて前記シートベルトを案内するベルトガイドとを備え、
前記ベルトガイド支持部のロック部が前記ベルトガイドの前記中空筒部内に挿入されるようにこのベルトガイドをベルトガイド支持部に取付けると、前記ロック部が前記中空筒部内から抜けないように前記抜け止め部によりロックされることを特徴とする。
【０００７】
また第２の発明は、シートバック上部の乗員の肩部の近傍位置に配置され、シート後方から導出されたシートベルトを案内するシートベルト誘導装置において、
前記シートバックの骨格を形成するシートバックフレームに固定される固定部とロック部とを備えるベルトガイド支持部と、
このベルトガイド支持部に取付けられて中空筒部と抜け止め部とシートベルトが挿入されるガイド部とを備えて前記シートベルトを案内するベルトガイドとを備え、
前記ベルトガイドに前記中空筒部を形成する側壁に揺動可能であって揺動していない状態では前記中空筒部内に係止部が入り込む係止体を形成し、
前記ベルトガイドをベルトガイド支持部に取付ける際に、前記ベルトガイド支持部のロック部が前記ベルトガイドの前記中空筒部内に挿入するように前記ベルトガイドを下降させると、前記ロック部が前記係止部に当接して前記係止体を外方へ揺動させ、更なる前記ベルトガイドを下降させると前記ロック部と前記係止部との当接が解除されて前記係止体が内方へ揺動して前記係止部が前記中空筒部内に入り込むことにより、前記ロック部が前記中空筒部内から抜けないように前記抜け止め部によりロックされることを特徴とする。
【０００８】
第３の発明は、第１又は第２の発明において、前記ベルトガイドの中空筒部とガイド部との間に水平方向に延びる鍔部を形成し、前記ベルトガイド支持部に前記ベルトガイドに取付けた状態で、前記シートベルトとバックの表層に前記鍔部を固定することを特徴とする。
【発明の効果】
【０００９】
本発明によれば、外観上の見栄えが良好で、簡単に取り付けができて、安価なシートベルト誘導装置を提供することができる。
【図面の簡単な説明】
【００１０】
【図１】自動車の後部シートの斜視図とこの斜視図の丸Ａ部分の拡大図である。
【図２】図１の丸Ａ部分の拡大図におけるＢ−Ｂ断面図である。
【図３】ベルトガイド支持部にベルトガイドを取付ける前の状態を示すシートベルト誘導装置の正面図である。
【発明を実施するための形態】
【００１１】
以下、本発明の実施形態について、図１乃至図３に基づいて説明する。先ず、自動車の後部シート１は、シートクッション２とシートバック３とを備えている。そして、シートバック３の後方には、車体パネルの表面を覆うトリム部材（図示せず）が設けられ、このトリム部材の内側の下部にはシートベルト５を巻取ったり繰り出したりするシートベルトリトラクターが設けられている。そして、トリム部材の上端部の車両外方側には開口部が設けられて、この開口部を介してシートベルト５をトリム部材外部へ導出している。
【００１２】
前記シートバック３の上端部（ヘッドレスト３ａを除く部分の上端部）の車幅方向における車両外方側の部位であって、乗員の肩部の近傍部位には前記開口部を介してトリム部材外部へ導出されたシートベルト５を前記シートクッション２に着座した乗員に装着するために案内するシートベルト誘導装置６が設けられている。
【００１３】
前記シートベルト誘導装置６は、大きく分けてベルトガイド支持部７と、このベルトガイド支持部７に取付けられるベルトガイド８とから構成される。ベルトガイド支持部７は金属材料（例えば、鋼）製の適宜な太さの線材を折り曲げて概ね門形形状を呈して、シートバック３の内部に設けられてこのシートバック３の骨格を形成する中空のシートバックフレーム１０に溶接により固定される水平な固定部７Ａ、７Ａと、この固定部７Ａ、７Ａをそれぞれ鉛直方向に折り曲げた２つの脚部７Ｂ、７Ｂと、この両脚部７Ｂ、７Ｂの上端同士を連結する水平な係止部（ロック部）７Ｃとを形成する。
【００１４】
前記ベルトガイド８は硬質の合成樹脂材料で一体成形で作製され、図３に示すように、シートバック３内に埋設される概ね中空角筒状の埋設部（中空筒部）９と、シートバック３内に前記埋設部９が埋設された状態で前記シートバック３の表皮３Ａ表面にその裏面が固定される鍔部１３と、導入口１４を介して導入されたシートベルト５を移動可能に案内する案内口１５が形成されたガイド部１６とを備えている。従って、前記ベルトガイド８の埋設部９とガイド部１６との間に、水平方向に延びる鍔部１３が形成されている。なお、３Ｂは前記シートバック３の内装材である。
【００１５】
前記埋設部９は、下方を開口して前後方向の空間の寸法が前記ベルトガイド支持部７の太さより少し大きくてベルトガイド支持部７の脚部７Ｂ、７Ｂ及び水平部７Ｃがその内部を移動可能な中空部８Ａを備えると共に、この中空部８Ａを形成する前壁８Ｂに両側方と上方に開口部８Ｂ１、８Ｂ２が形成されて係止体８Ｄが形成される。
【００１６】
前記シートバック３に開設された開口１２を介してこのシートバック３内に前記埋設部９が埋設された状態で、前記鍔部１３はその裏面が前記シートバック３の表皮３Ａ表面に接着剤を介して接着固定される。なお、この場合、接着剤の代わりに溶着により固定してもよい。
【００１７】
前記鍔部１３上部に設けられてシートベルト５を導入するために、前記ガイド部１６にはシートベルト５の厚さより少し大きな間隔を存して上部に縦方向に延びた導入口１４が形成されると共に、この導入口１４に連通して縦方向の開口寸法がシートベルト５の厚さより少し長く且つ横方向の開口寸法がシートベルト５の幅より少し長い案内口１５が形成される。
【００１８】
そして、前記ベルトガイド８の係止体８Ｄの上部には前記中空部８Ａ内に突出する係止部１７が形成され、この係止部１７は中空部８Ａ内に突出しない部分の厚さから上方に向けて徐々に厚さを増して突出するような傾斜部１７Ａと、その上端部の抜け止め部１７Ｂとが形成されている。
【００１９】
以上のような構成にして、シートバック３の骨格を形成するシートバックフレーム１０に水平な固定部７Ａ、７Ａを溶接することによりベルトガイド支持部７を固定し、図３に示す状態から図１に示すように、次いで鍔部１３の下面に接着剤を塗布した状態のベルトガイド８の中空部８Ａ内に前記脚部７Ｂ、７Ｂ及び水平部７Ｃを挿入するようにして、前記シートバック３に開設された開口１２を介してベルトガイド８とベルトガイド支持部７とを作業者が嵌め合わせる。
【００２０】
この嵌め込みの際のベルトガイド８の下降動作によって、ベルトガイド支持部７の水平部７Ｃがベルトガイド８の中空部８Ａ内を上昇することとなるが、この水平部７Ｃがベルトガイド８の係止体８Ｄの係止部１７の傾斜面１７Ａに当接して案内されながら上昇するので、中空部８Ａ内に突出していた係止部１７の突出部分が中空部８Ａ外に移動するようにベルトガイド８の係止体８Ｄは下端部を支点として前方（外方）へ揺動することとなる。
【００２１】
そして、更なるベルトガイド８の下降動作によって、やがて水平部７Ｃと傾斜面１７Ａとの当接が解除されると、ベルトガイド８の係止体８Ｄは下端部を支点として後方へ揺動して、係止部１７の突出部分が中空部８Ａ内に移動することとなり、中空部８Ａの上終端となる前記鍔部１３の下面に水平部７Ｃが当接することとなり、係止部１７の上端部の抜け止め部１７Ｂによりベルトガイド支持部７にベルトガイド８が取付け固定されることとなる。
【００２２】
即ち、ベルトガイド８の係止体８Ｄが後方へ揺動することにより、係止部１７の突出部分が中空部８Ａ内に入り込むように内方へ移動することとなり、図２に示すように、前記ベルトガイド支持部７の水平部７Ｃの下方位置に前記抜け止め部１７Ｂが位置することにより、水平部７Ｃは前記鍔部１３と係止部１７との間に位置して、前記ベルトガイド支持部７の水平部７Ｃが前記ベルトガイド８の中空部８Ａ内から抜けないように、前記抜け止め部１７Ｂによりロックされる。
【００２３】
また、このベルトガイド支持部７へのベルトガイド８の取付けにより、同時に前記シートバック３の表皮（表層）３Ａ表面にベルトガイド８の鍔部１３下面が接着剤を介して接着される。
【００２４】
従って、従来はベルトガイド支持部にベルトガイドをボルトにより取付けるという作業が必要であり、ボルトの頭部が見えて外観の見栄えが悪く好ましくないので、キャップで外部から見えないようにするとコスト高ともなり、取付け穴を設ける必要があるためにベルトガイド支持部が大きくなるという問題もあったが、本発明によれば外観上の見栄えが良好で、作業工数も減少して簡単に取り付けができて、安価なシートベルト誘導装置を提供することができる。
【００２５】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２６】
１          後部シート
３          シートバック
６          シートベルト誘導装置
７          ベルトガイド支持部
７Ｂ        脚部
７Ｃ        水平部
８          ベルトガイド
８Ａ        中空部
８Ｂ        前壁
８Ｄ        係止体
９          埋設部
１０        シートバックフレーム
１３        鍔部
１７        係止部
１７Ａ      傾斜面
１７Ｂ      抜け止め部
【図１】
2012006479.tif 000003
【図２】
2012006479.tif 000004
【図３】
2012006479.tif 000005